(57)【要約】【課題】回路構成が簡易なスイッチング式ＡＣアダプタ回路を提供すること。【解決手段】二次側回路に設けられ、定電圧制御回路（２２）と過電流検出回路（２４）と過電圧検出回路（２６）とに接続されたフォトカプラ制御回路（２８）は、定電圧検出制御信号を帰還信号として一次側回路へ帰還させるようにフォトカプラ（ＩＣ１）を制御する。また、フォトカプラ制御回路（２８）は、過電流検出信号及び過電圧検出信号の少なくとも一方を受けたときは、フォトカプラ（ＩＣ１）をオフするように制御する。電圧検出回路（１８）は、フォトカプラがオフのときに、トランス（Ｔ１）の補助巻線（ＮＳＬＤ）に誘起される電圧を検出すると、ラッチ回路（１６）を動作させる。これにより、スイッチング式ＡＣアダプタ回路のスイッチング動作を停止させる。【選択図】      図４
2004312954.tif 000002
【特許請求の範囲】
【請求項１】
トランスの一次巻線に印加される入力直流電圧をスイッチング素子によりオンオフする一次側回路と、前記トランスの二次巻線に誘起されるＡＣ電圧を整流平滑して二次側出力電圧を出力する二次側回路と、前記二次側出力電圧の変化を検出して定電圧検出制御信号を出力する定電圧制御回路と、前記二次側回路での過電流を検出して過電流検出信号を出力する過電流検出回路と、前記二次側回路での過電圧を検出して過電圧検出信号を出力する過電圧検出回路と、前記定電圧検出信号を帰還信号として前記一次側回路へ帰還するフォトカプラと、前記帰還信号に応答して前記スイッチング素子のオンオフを制御するスイッチング制御回路と、前記一次側回路に設けられて、前記二次側回路で過電流又は過電圧が検出されたときに前記スイッチング素子をオフするラッチ回路とを備えたスイッチング式ＡＣアダプタ回路において、
前記二次側回路に設けられ、前記定電圧制御回路と前記過電流検出回路と前記過電圧検出回路とに接続されたフォトカプラ制御回路であって、前記定電圧検出制御信号を前記帰還信号として前記一次側回路へ帰還させるように前記フォトカプラを制御すると共に、前記過電流検出信号及び前記過電圧検出信号の少なくとも一方を受けたときは、前記フォトカプラをオフするように制御する前記フォトカプラ制御回路と、
前記一次側回路に設けられ、前記フォトカプラがオフしたことを検出すると、前記ラッチ回路を動作させる一次側検出回路とを備えたことを特徴とするスイッチング式ＡＣアダプタ回路。
【請求項２】
前記定電圧制御回路、前記過電流検出回路、前記過電圧検出回路、および前記フォトカプラ制御回路が１つの集積回路で実現されている、請求項１に記載のスイッチング式ＡＣアダプタ回路。
【請求項３】
前記一次側検出回路は、前記フォトカプラがオフのときに、前記トランスの補助巻線に誘起される電圧を検出する電圧検出回路を有する、請求項１に記載のスイッチング式ＡＣアダプタ回路。
【請求項４】
前記一次側検出回路は、前記フォトカプラがオフのときに、前記フォトカプラのフォトトランジスタのコレクタ電流が流れないことを検出する電流検出回路を有する、請求項１に記載のスイッチング式ＡＣアダプタ回路。
【請求項５】
前記一次側検出回路は、
前記フォトカプラがオフのときに、前記トランスの補助巻線に誘起される電圧を検出する電圧検出回路と、
前記フォトカプラがオフのときに、前記フォトカプラのフォトトランジスタをコレクタ電流が流れないことを検出する電流検出回路と
を有する、請求項１に記載のスイッチング式ＡＣアダプタ回路。
【発明の詳細な説明】
【０００１】
【発明の属する技術分野】
本発明は、スイッチング式ＡＣアダプタ回路に関し、特に、ラッチ保護回路付きスイッチング式ＡＣアダプタ回路に関する。
【０００２】
【従来の技術】
この種のスイッチング式ＡＣアダプタ回路は、トランスの一次巻線に印加される直流電圧をスイッチング素子によりオンオフする一次側回路と、トランスの二次巻線に誘起される電流を整流平滑化して二次側出力電圧を出力する二次側回路とを備えている。
【０００３】
このようなスイッチング式ＡＣアダプタ回路においては、一次側回路と二次側回路とは、感電などの事故を防ぐために、電気的に絶縁分離されている必要がある。電気的に絶縁分離する手段としては、一般に、フォトカプラ又は絶縁トランスが使用される。また、スイッチング式ＡＣアダプタ回路においては、定電圧制御を行うため、二次側出力電圧の変化を定電圧制御信号として一次側回路に戻す必要がある。この場合、この定電圧制御信号は、二次側回路から定電圧制御用フォトカプラを介して一次側回路に戻される（帰還される）。
【０００４】
さらに、スイッチング式ＡＣアダプタ回路では、二次側回路での過電流又は過電圧を検出して、過電流検出信号又は過電圧検出信号を一次側回路へフィードバックするものもある。この場合、一次側回路には、二次側回路で過電流又は過電圧が検出されたときに、スイッチング式ＡＣアダプタ回路のスイッチング動作を停止させるためのラッチ回路が設けられる。そして、上記過電流検出信号又は過電圧検出信号は、二次側回路からラッチ用フォトカプラを介して一次側回路のラッチ回路へ伝達される（帰還される）。
【０００５】
以下、図１を参照して、従来のスイッチング式ＡＣアダプタ回路について説明する。図示のスイッチング式ＡＣアダプタ回路は、一次側回路として、整流回路１２、入力コンデンサＣ２、トランスＴ１の一次巻線Ｎｐ、スイッチング制御回路１４、およびスイッチング素子Ｑ１を含む。
【０００６】
ＡＣ電源から供給される入力ＡＣ電圧は整流回路１２で整流された後、入力コンデンサＣ２で平滑され入力直流電圧として蓄積される。この入力直流電圧は、トランスＴ１の一次巻線Ｎｐに印加され、スイッチング素子Ｑ１によってオンオフされる。このスイッチング素子Ｑ１のオンオフは、スイッチング制御回路１４から供給されるオンオフ制御信号によって制御される。
【０００７】
また、図示のスイッチング式ＡＣアダプタ回路は、二次側回路として、トランスＴ１の二次巻線Ｎｓ、ダイオードＤ５、出力コンデンサＣ１０を含む。トランスＴ１の二次巻線Ｎｓに誘起されたＡＣ電圧は、ダイオードＤ５で整流された後、出力コンデンサＣ１０で平滑化され、二次側出力電圧を出力する。
【０００８】
二次側回路には、定電圧制御回路２２、過電流検出回路２４、および過電圧検出回路２６が設けられている。定電圧制御回路２２は、二次側出力電圧の変化を検出して、定電圧検出制御信号を出力する。この定電圧制御検出信号は、定電圧制御用フォトカプラＩＣ１を介して第１の帰還信号として一次側回路に設けられたスイッチング制御回路１４へ帰還される。過電流検出回路２４は、二次側回路での過電流を検出して、過電流検出信号を出力する。過電圧検出回路２６は、二次側回路での過電圧を検出して、過電圧検出信号を出力する。これら過電流検出信号及び過電圧検出信号はダイオードから構成されたオアゲートＤ７で論理和が取られたのち、ラッチ用フォトカプラＩＣ２を介して第２の帰還信号として一次側回路に設けられたラッチ回路１６へ帰還される。
【０００９】
この第２の帰還信号に応答して、ラッチ回路１６はトランジスタＱ５−１をオンすることにより、スイッチング素子Ｑ１をオフさせ、これによりスイッチング式ＡＣアダプタ回路のスイッチング動作が停止させられる。
【００１０】
尚、トランスＴ１の補助巻線ＮＢにもＡＣ電圧が誘起され、この誘起されたＡＣ電圧は、スイッチング制御回路１４、定電圧制御用フォトカプラＩＣ１のフォトトランジスタ、およびラッチ用フォトカプラＩＣ２のフォトトランジスタの動作電力として利用される。
【００１１】
図２に図１に図示した従来のスイッチング式ＡＣアダプタ回路の具体的な回路例を示す。整流回路１２は、フューズＦ１、サージ保護回路ＳＡ１、コンデンサＣ２０、コイルＬ１、およびダイオードブリッジＤ１から構成されている。スイッチング制御回路１４は、トランジスタＱ５−２、抵抗器Ｒ７，Ｒ９，Ｒ１０，Ｒ３０，およびコンデンサＣ６から構成されている。定電圧制御回路２２および過電流検出回路２４は、集積回路ＩＣ３で実現されている。また、図１の過電圧検出回路２６は、ダイオードＤ６と、抵抗器Ｒ１８と、コンデンサＣ１１とから構成されている。
【００１２】
図３にこの集積回路ＩＣ３の構成を示す。集積回路ＩＣ３は、１〜８の符号がつけられた８つの端子を持つ。端子１は第１の出力端子である。端子２は第１の反転入力端子である。端子３は第１の非反転入力端子である。端子４は負電源電圧ＶＣＣ−が入力される負電源入力端子である。端子５は第２の非反転入力端子である。端子６は第２の反転入力端子である。端子７は第２の出力端子である。端子８は正電源電圧ＶＣＣ＋が入力される正電源入力端子である。
【００１３】
集積回路ＩＣ３は、第１の演算増幅器ＯＰ１と、第２の演算増幅器ＯＰ２と、基準電圧ＶＲｅｆを発生するためのシャントレギュレータとから構成されている。第１の演算増幅器ＯＰ１は、図１の定電圧制御回路２２として働く。第２の演算増幅器ＯＰ２は、図１の過電流検出回路２４として働く。
【００１４】
図２に示されるように、集積回路ＩＣ３の第１の出力端子１は、定電圧制御用フォトカプラＩＣ１のフォトダイオードのカソード端子に接続されている。集積回路ＩＣ３の第１の反転入力端子２は、二次側出力電圧を分圧する、抵抗器Ｒ１３、Ｒ１４，Ｒ１５から成る分圧回路の分圧端子に接続されている。集積回路ＩＣ３の負電源入力端子４は、二次側回路の接地端子ＧＮＤに接続されている。集積回路ＩＣ３の第２の出力端子７は、抵抗器Ｒ１９、オア回路Ｄ７のダイオードＤ７−２を介して、ラッチ用フォトカプラＩＣ２のフォトダイオードのアノード端子に接続されている。
【００１５】
図１のラッチ回路１６は、抵抗器Ｒ５，Ｒ６，Ｒ３２，Ｒ３３と、コンデンサＣ３，Ｃ２３と、トランジスタＱ４−１，Ｑ４−２から成るトランジスタ回路Ｑ４とから構成されている。
【００１６】
図２中、一次巻線Ｎｐ、二次巻線Ｎｓ、補助巻線ＮＢ、および第２の補助巻線ＮＳＬＤに付された黒丸●は巻線の開始部位を表している。
【００１７】
このような構成において、二次側回路で過電流又は過電圧が検出された場合の動作について説明する。
【００１８】
二次側回路が過電圧状態になったとする。この場合、コンデンサＣ９の＋端子の電位が高くなる。これにより、電流がダイオードＤ６、抵抗器Ｒ１８を介してコンデンサＣ１１へ流れ、このコンデンサＣ１１に電荷が蓄積される。この結果、オア回路Ｄ７のダイオードＤ７−１を介して、電流がラッチ用フォトカプラＩＣ２のフォトダイオードを流れる。
【００１９】
一方、二次側回路が過電流状態になったとする。この場合、過電流が抵抗器Ｒ１６を流れるので、集積回路ＩＣ３の第２の非反転入力端子５の電位が第２の反転入力端子６の電位より高くなり、第２の演算増幅器ＯＰ２の出力がハイレベルとなる。これにより、電流が抵抗器Ｒ１９を介してコンデンサＣ１２に流れ、このコンデンサＣ１２に電荷が蓄積される。この結果、オア回路Ｄ７のダイオードＤ７−２を介して、電流がラッチ用フォトカプラＩＣ２のフォトダイオードを流れる。
【００２０】
このように、ラッチ用フォトカプラＩＣ２のフォトダイオードを電流が流れると、そのフォトダイオードが発光し、この発光がラッチ用フォトカプラＩＣ２のフォトトランジスタで受光される。これにより、このフォトトランジスタからコレクタ電流が流れ、このコレクタ電流はラッチ回路１６のコンデンサＣ３に流れ、このコンデンサＣ３に電荷が蓄積される。この結果、コンデンサＣ３の＋端子の電位が高くなる。これにより、トランジスタＱ４−２がオンし、トランジスタＱ４−１がオンする。トランジスタＱ４−１がオンすることで、コンデンサＣ３へ電流が流れ、そのコンデンサＣ３の＋端子の電圧が保持（ラッチ）される。
【００２１】
このようにラッチ回路１６がラッチされると、抵抗器Ｒ３２を介してトランジスタＱ５−１のベースに電流が流れ、このトランジスタＱ５−１はオンする。この結果、スイッチング素子Ｑ１がオフとなり、本スイッチング式ＡＣアダプタ回路のスイッチング動作が停止する。
【００２２】
尚、このラッチ回路１６によるラッチを解除するには、ＡＣ電源を一度オフして、再度ＡＣ電源を投入する必要がある。
【００２３】
このように、従来のスイッチング式ＡＣアダプタ回路では、定電圧制御用フォトカプラＩＣ１の他にラッチ用フォトカプラＩＣ２をも必要としている。したがって、通常制御（定電圧制御等）で使用している１個のフォトカプラＩＣ１にて、異常（過電圧、過電流等）状態も伝達することが望まれている。
【００２４】
これに関連して、二次側回路に誘起する主出力電圧の定電圧検出制御信号に、１個のスイッチを用いて過電圧保護信号（またはリモートコントロール信号）を重畳し、１個のフォトカプラで絶縁し一次側回路に伝送するようにした技術が知られている（例えば、特許文献１参照。）。
【００２５】
【特許文献１】
特開２０００−１５６９７２号公報
【００２６】
【発明が解決しようとする課題】
しかしながら、特許文献１に開示されたスイッチング電源装置では、一次側回路に設けられる一次側制御回路の回路構成が複雑になると共に、補助電源部が別に必要になるという問題がある。
【００２７】
したがって、本発明の課題は、回路構成が簡易なスイッチング式ＡＣアダプタ回路を提供することにある。
【００２８】
【課題を解決するための手段】
本発明によれば、トランス（Ｔ１）の一次巻線（Ｎｐ）に印加される入力直流電圧をスイッチング素子（Ｑ１）によりオンオフする一次側回路と、前記トランスの二次巻線（Ｎｓ）に誘起されるＡＣ電圧を整流平滑して二次側出力電圧を出力する二次側回路と、前記二次側出力電圧の変化を検出して定電圧検出制御信号を出力する定電圧制御回路（２２）と、前記二次側回路での過電流を検出して過電流検出信号を出力する過電流検出回路（２４）と、前記二次側回路での過電圧を検出して過電圧検出信号を出力する過電圧検出回路（２６）と、前記定電圧検出信号を帰還信号として前記一次側回路へ帰還するフォトカプラ（ＩＣ１）と、前記帰還信号に応答して前記スイッチング素子のオンオフを制御するスイッチング制御回路（１４）と、前記一次側回路に設けられて、前記二次側回路で過電流又は過電圧が検出されたときに前記スイッチング素子をオフするラッチ回路（１６）とを備えたスイッチング式ＡＣアダプタ回路において、前記二次側回路に設けられ、前記定電圧制御回路と前記過電流検出回路と前記過電圧検出回路とに接続されたフォトカプラ制御回路（２８）であって、前記定電圧検出制御信号を前記帰還信号として前記一次側回路へ帰還させるように前記フォトカプラを制御すると共に、前記過電流検出信号及び前記過電圧検出信号の少なくとも一方を受けたときは、前記フォトカプラをオフするように制御する前記フォトカプラ制御回路と、前記一次側回路に設けられ、前記フォトカプラがオフしたことを検出すると、前記ラッチ回路を動作させる一次側検出回路（１８，１９）とを備えたことを特徴とするスイッチング式ＡＣアダプタ回路が得られる。
【００２９】
上記スイッチング式ＡＣアダプタ回路において、前記定電圧制御回路、前記過電流検出回路、前記過電圧検出回路、および前記フォトカプラ制御回路が１つの集積回路（ＩＣ４）で実現されていて良い。前記一次側検出回路は、前記フォトカプラがオフのときに、前記トランスの補助巻線に誘起される電圧を検出する電圧検出回路（１８）と、前記フォトカプラがオフのときに、前記フォトカプラのフォトトランジスタのコレクタ電流が流れないことを検出する電流検出回路（１９）とのいずれか一方或いは両方から構成されて良い。
【００３０】
尚、上記括弧内の符号は、本発明の理解を容易にするために付したものであり、一例にすぎず、これらに限定されないのは勿論である。
【００３１】
【発明の実施の形態】
以下、図面を参照して、本発明の実施の形態について詳細に説明する。
【００３２】
図４を参照して、本発明の第１の実施の形態に係るスイッチング式ＡＣアダプタ回路について説明する。図示のスイッチング式ＡＣアダプタ回路は、ラッチ用フォトカプラＩＣ２を削除すると共に、二次側回路にフォトカプラ制御回路２８を設けると共に、一次側回路にトランスＴ１の第２の補助巻線ＮＳＬＤに接続された電圧検出回路１８を設けた点を除いて、図１に示した従来のスイッチング式ＡＣアダプタ回路と同様の構成を有する。図１に示した構成要素と同様の機能を有するものには同一の参照符号を付して、説明の簡略化のためにそれらの説明については省略する。
【００３３】
本発明では、１個のフォトカプラＩＣ１を定電圧制御兼ラッチ用フォトカプラとして使用する。
【００３４】
フォトカプラ制御回路２８には、定電圧制御回路２２からの定電圧検出制御信号、過電流検出回路２４からの過電流検出信号、および過電圧検出回路２６からの過電圧検出信号が供給される。
【００３５】
フォトカプラ制御回路２８は次のように動作する。まず、フォトカプラ制御回路２８に過電流検出信号および過電圧検出信号のいずれも供給されず、異常が検出されていない通常制御状態であるとする。この場合、定電圧検出制御信号に応答して、フォトカプラ制御回路２８は、そのコントロール端子を電源電圧Ｖｃｃと接地電位ＧＮＤとの間の中間電位に設定して、リニア動作をしている。すなわち、フォトカプラ制御回路２８は、定電圧検出制御信号を第１の帰還信号として一次側回路へ帰還させるようにフォトカプラＩＣ１を制御する。
【００３６】
これに対して、フォトカプラ制御回路２８に過電流検出信号および過電圧検出信号のいずれかが供給されて、異常を検出したとする。この場合、フォトカプラ制御回路２８は、そのコントロール端子を論理Ｈレベル（Ｖｃｃ）となるように制御する。
【００３７】
次に、フォトカプラ制御回路２８のコントロール端子が論理Ｈレベルとなった場合の動作について説明する。この場合、フォトカプラＩＣ１のフォトダイオードは、そのアノード端子とカソード端子間の電位差がなくなる為、発光しなくなる。と同時に、フォトカプラＩＣ１のフォトトランジスタのコレクタ電流も流れなくなる。これにより、一次側回路に設けたトランスＴ１の第２の補助巻線ＮＳＬＤに誘起される電圧が上昇する。この上昇した電圧を電圧検出回路１８が検出し、電圧検出回路１８はラッチ回路１６を動作させる。これにより、スイッチング式ＡＣアダプタ回路のスイッチング動作を停止させることができる。
【００３８】
図５に図４に図示したスイッチング式ＡＣアダプタ回路の具体的な回路例を示す。図２に示した構成要素と同様の機能を有するものには同一の参照符号を付して、説明の簡略化のためにそれらの説明については省略する。
【００３９】
定電圧制御回路２２、過電流検出回路２４、過電圧検出回路２６、およびフォトカプラ制御回路２８は集積回路ＩＣ４で実現されている。電圧検出回路１８は、抵抗器Ｒ３４，Ｒ３５，Ｒ３６，Ｒ３７と、コンデンサＣ２９と、トランジスタＱ６，Ｑ７とから構成されている。
【００４０】
図６に集積回路ＩＣ４の構成を示す。集積回路ＩＣ４は、１〜６の符号がつけられた６つの端子を持つ。端子１は定電圧検出入力端子ＶＳである。端子２は過電流遅延時間設定入力端子Ｃｄである。端子３は電源電圧が供給される電源入力端子ＶＣＣである。端子４はコントロール端子Ｃｏｎｔである。端子５は接地端子ＧＮＤである。端子６は過電流検出入力端子ＣＳである。
【００４１】
図６に加えて図５をも参照すると、集積回路ＩＣ４の定電圧検出入力端子１（ＶＳ）は定電圧検出抵抗器Ｒ１３，Ｒ１４，Ｒ１５の分圧端子に接続されている。集積回路ＩＣ４の過電流遅延時間設定入力端子２（Ｃｄ）は過電流遅延時間設定容量Ｃｄを介して二次側回路のコモン端子に接続されている。集積回路ＩＣ４の電源入力端子３（ＶＣＣ）は、トランスＴ１の二次巻線Ｎｓの正極側端子に接続されている。集積回路ＩＣ４のコントロール端子４（Ｃｏｎｔ）はフォトカプラＩＣ１のフォトダイオードのカソード端子に接続されている。集積回路ＩＣ４の接地端子５（ＧＮＤ）は二次側回路のコモン端子（接地端子）ＧＮＤに接続されている。集積回路ＩＣ４の過電流検出入力端子６（ＣＳ）は抵抗器Ｒ２０を介して過電流検出抵抗器Ｒ１６の一端に接続されている。
【００４２】
図６に示されるように、集積回路ＩＣ４は、定電圧制御回路２２と、過電流検出回路２４と、過電圧検出回路２６と、フォトカプラ制御回路２８と、遅延回路２９とを含む。
【００４３】
次に、図５を参照して、二次側回路で過電流又は過電圧が検出された場合の動作について説明する。
【００４４】
二次側回路が過電圧状態または過電流状態になると、集積回路ＩＣ４は、そのコントロール端子４を論理Ｈレベルにする。フォトカプラＩＣ１のフォトダイオードは、そのアノード端子とカソード端子間の電位差がなくなる為、発光しなくなる。と同時に、フォトカプラＩＣ１のフォトトランジスタのコレクタ電流も流れなくなる。これにより、一次側回路に設けたトランスＴ１の第２の補助巻線ＮＳＬＤに誘起される電圧が上昇する。
【００４５】
この上昇した誘起電圧は、ダイオードＤ６で整流された後、コンデンサＣ２８で平滑化される。その為、コンデンサＣ２８の電圧が上昇する。このコンデンサＣ２８の電圧が上昇すると、電圧検出回路１８のトランジスタＱ６がオンする。トランジスタＱ６がオンすると、トランジスタＱ７がオンし、コレクタ電流がラッチ回路１６のコンデンサＣ３に流れ、このコンデンサＣ３に電荷が蓄積される。
【００４６】
このようにラッチ回路１６を動作させることにより、スイッチング式ＡＣアダプタ回路のスイッチング動作を停止させることができる。
【００４７】
図５に示したスイッチング式ＡＣアダプタ回路では、電圧検出回路１８として２個のトランジスタＱ６，Ｑ７を用いたものを使用しているが、そのような電圧検出回路１８の代わりに、図７に図示されるような、ツェナーダイオードＺＤを用いた電圧検出回路１８Ａを用いても良い。
【００４８】
図８を参照して、本発明の第２の実施の形態に係るスイッチング式ＡＣアダプタ回路について説明する。図示のスイッチング式ＡＣアダプタ回路は、一次側回路にさらに電流検出回路１９を設けた点を除いて、図４に示したスイッチング式ＡＣアダプタ回路と同様の構成を有する。図４に示した構成要素と同様の機能を有するものには同一の参照符号を付して、説明の簡略化のためにそれらの説明については省略する。
【００４９】
電流検出回路１９は、フォトカプラＩＣ１のフォトトランジスタのコレクタ電流を検出するための回路である。このコレクタ電流が流れなくなると、電流検出回路１９はラッチ回路１６を動作させる。これにより、スイッチング式ＡＣアダプタ回路のスイッチング動作を停止させることができる。
【００５０】
尚、本実施の形態では、一次側回路に電圧検出回路１８と電流検出回路１９との２つの検出回路を設けているが、電流検出回路１９のみを一次側回路に設けるようにしても良いのは勿論である。
【００５１】
このように、本発明では、二次側回路で検出された異常（過電圧、過電流等）を、フォトカプラＩＣ１をオフすることにより、一次側回路へ伝達している。したがって、一次側回路に設ける一次側制御回路（スイッチング制御回路１４、ラッチ回路１６）の構成を簡易にできる。また、部品異常、はんだ不良等により回路異常が起こり、二次側回路の異常検出回路の伝達ルートが切れた場合にも、スイッチング式ＡＣアダプタ回路は安全方向に働く。
【００５２】
更に、スイッチング方式ＡＣアダプタ回路の二次側回路の出力がショートすることにより、保護回路（定電圧制御回路２２、過電流検出回路２４、過電圧検出回路２６、フォトカプラ制御回路２８）の電源がなくなったとする。この場合でも、フォトカプラＩＣ１がオフとなる為、スイッチング式ＡＣアダプタ回路は安全に働く。すなわち、フォトカプラ制御回路２８を動作させるための補助電源が不要である。
【００５３】
【発明の効果】
以上の説明から明らかなように、本発明では、二次側回路で検出された異常を、フォトカプラをオフすることにより、一次側回路へ伝達しているので、二次側ＩＣ用補助電源の削除、第２のフォトカプラの削除ができ、回路構成が簡素に構成できるという効果がある。
【図面の簡単な説明】
【図１】従来のスイッチング式ＡＣアダプタ回路の構成を示すブロック図である。
【図２】図１に図示した従来のスイッチング式ＡＣアダプタ回路の具体的な回路例を示す回路図である。
【図３】図２に図示した従来のスイッチング式ＡＣアダプタ回路に使用される集積回路の構成を示すブロック図である。
【図４】本発明の第１の態様によるスイッチング式ＡＣアダプタ回路の構成を示すブロック図である。
【図５】図４に図示したスイッチング式ＡＣアダプタ回路の具体的な回路例を示す回路図である。
【図６】図５に図示したスイッチング式ＡＣアダプタ回路に使用される集積回路の構成を示すブロック図である。
【図７】図５に図示したスイッチング式ＡＣアダプタ回路に使用される電圧検出回路の代わりに使用される電圧検出回路を示す回路図である。
【図８】本発明の第２の態様によるスイッチング式ＡＣアダプタ回路の構成を示すブロック図である。
【符号の説明】
１４    スイッチング制御回路
１６    ラッチ回路
１８，１８Ａ    電圧検出回路
１９    電流検出回路
２２    定電圧制御回路
２４    過電流検出回路
２６    過電圧検出回路
２８    フォトカプラ制御回路
Ｑ１    スイッチング素子
Ｔ１    トランス
Ｎｐ    一次巻線
Ｎｓ    二次巻線
ＮＳＬＤ    補助巻線
ＩＣ１    フォトカプラ
ＩＣ４    集積回路
【図１】
2004312954.tif 000003
【図２】
2004312954.tif 000004
【図３】
2004312954.tif 000005
【図４】
2004312954.tif 000006
【図５】
2004312954.tif 000007
【図６】
2004312954.tif 000008
【図７】
2004312954.tif 000009
【図８】
2004312954.tif 000010